(57)【要約】【課題】停止時における吸収溶液からの熱の廃棄による損失を填補することが出来る吸収ヒートポンプの提供。【解決手段】吸収ヒートポンプ（１０１，１０２）において、熱媒体が循環する循環系（Ｌｃ）を介して再生器（１）と熱的に接続されている貯湯タンク（１２）と、制御装置（コントロールユニット２０）とを備え、該制御装置（２０）は、吸収ヒートポンプの運転停止後に前記循環系（Ｌｃ）内で熱媒体を循環させ、該熱媒体を介して再生器（１）で加熱された吸収溶液が保有する熱量を貯湯タンク（１２）に投入する制御を行う様に構成されている。【選択図】図１
2007120840.tif 000002
【特許請求の範囲】
【請求項１】
吸収溶液を加熱して冷媒蒸気を再生せしめる再生器と、系外から熱エネルギーを取り入れて冷媒を蒸発する蒸発器と、吸収剤が冷媒を吸収する吸収器と、冷媒蒸気が凝縮する凝縮器と、吸収器及び凝縮器を冷却する冷却水ラインと、熱媒体が循環する循環系を介して再生器と熱的に接続されている貯湯タンクと、制御装置とを備え、該制御装置は、吸収ヒートポンプの運転停止後に前記循環系内で熱媒体を循環させ、該熱媒体を介して再生器で加熱された吸収溶液が保有する熱量を貯湯タンクに投入する制御を行う様に構成されていることを特徴とする吸収ヒートポンプ。
【請求項２】
前記循環系内を循環する熱媒体の温度を計測する温度計測装置を有し、前記制御装置は、吸収ヒートポンプの運転が停止したならば前記循環系内で熱媒体を循環させ、前記温度計測装置で計測された前記熱媒体の温度が貯湯タンクから再生器側へ熱が逆流する可能性がある温度となった場合に前記循環系における熱媒体の循環を停止する制御を行う様に構成されている請求項１の吸収ヒートポンプ。
【請求項３】
前記制御装置は、吸収ヒートポンプの運転が停止してからの経過時間を計測する計時装置を備えており、吸収ヒートポンプの運転が停止したならば前記循環系内で熱媒体を循環させ、吸収ヒートポンプ停止後、貯湯タンクから再生器側へ熱が逆流することなく再生器内の吸収溶液が保有する熱量を効率良く回収出来る時間が経過した時に前記循環系における熱媒体の循環を停止する制御を行う様に構成されている請求項１の吸収ヒートポンプ。
【請求項４】
請求項２の吸収ヒートポンプを制御する制御方法において、吸収ヒートポンプの運転が停止したならば前記循環系内で熱媒体を循環させる工程と、温度計測装置により前記循環系内を循環する熱媒体の温度を計測する工程と、前記温度計測装置で計測された前記熱媒体の温度が貯湯タンクから再生器側へ熱が逆流する可能性がある温度となった場合に前記循環系における熱媒体の循環を停止する工程、とを有していることを特徴とする吸収ヒートポンプの制御方法。
【請求項５】
請求項３の吸収ヒートポンプを制御する制御方法において、吸収ヒートポンプの運転が停止したならば前記循環系内で熱媒体を循環させる工程と、計時装置により吸収ヒートポンプの運転が停止してからの経過時間を計測する工程と、吸収ヒートポンプ停止後、貯湯タンクから再生器側へ熱が逆流することなく再生器内の吸収溶液が保有する熱量を効率良く回収出来る時間が経過した時に前記循環系における熱媒体の循環を停止する工程、とを有することを特徴とする吸収ヒートポンプの制御方法。
【発明の詳細な説明】
【技術分野】
【０００１】
本発明は、大気が保有する熱量等の未利用エネルギーを低温熱源とする吸収ヒートポンプに関する。
【背景技術】
【０００２】
従来技術に係るヒートポンプの例として、単効用増熱型ヒートポンプを図５で示す。
図５において、システム全体を符号５０で示す単効用増熱型ヒートポンプは、例えば、燃料ガス供給ラインＬｆから燃料（例えば都市ガス）が投入される再生器１と、系外から例えば空気熱ＱＬを取り入れて液相の冷媒を蒸発する蒸発器２と、吸収剤が気相の冷媒（冷媒蒸気）を吸収する吸収器３と、冷媒蒸気が凝縮する凝縮器４とを備えている。
【０００３】
吸収器３及び凝縮器４は冷却水ラインＬｗによって冷却される。即ち、冷却水ラインＬｗを流過する冷却水は、吸収器３及び凝縮器４によって熱が投入され、昇温される様に構成されており、昇温された冷却水は給湯等に供されている。
吸収器３と再生器１は、循環ポンプ５の介装された吸収溶液ラインＬ１、Ｌ２によって接続されている。吸収溶液ラインＬ１、Ｌ２には溶液熱交換器６が介装され、ラインＬ２の吸収溶液の熱をラインＬ１の吸収溶液に投与する様に構成されている。
さらに、再生器１には、精溜器１１が装備されており、気相の冷媒（冷媒蒸気：例えばアンモニア蒸気）から吸収剤蒸気（例えば水蒸気）を分離するとともに、精溜器１１の熱エネルギーを、溶液熱交換器６よりも吸収器３側の領域において、ラインＬ１を流れる吸収溶液に与え、吸収溶液を昇温（予熱）する様に構成されている。
【０００４】
精溜器１１で発生した冷媒蒸気（アンモニア蒸気）はラインＬ３を介して凝縮器４に流入し、凝縮器４内で凝縮して液相のアンモニアになり、この液相のアンモニアはラインＬ４を経由して蒸発器２に流入する。
蒸発器２内の液相のアンモニアは蒸発器２で、例えば空気熱ＱＬが与えられて蒸発して冷媒蒸気（アンモニア蒸気）となって、ラインＬ５を経由して吸収器３に流入する。吸収器３内で、冷媒蒸気は、再生器１から戻った吸収剤（水）の含有率の高い吸収溶液（アンモニア水溶液）に吸収される。そして、冷媒蒸気を吸収して吸収剤の含有率が低下した吸収溶液は、循環ポンプ５で再生器１に送られる。
【０００５】
図５の例では、蒸発器２内の液相冷媒は、大気からの熱エネルギー（空気熱）ＱＬによって、気化（蒸発）するが、大気からの熱エネルギーのみならず、河川、下水などの未利用エネルギーを汲み上げて用いることも可能なように構成することも出来る。
【０００６】
ここで、吸収式ヒートポンプは、ガス焚き給湯機等に比べて、いわゆる「立ちあがり」が悪い。すなわち、ヒートポンプの起動から所望の温度の湯を供給するまでに時間が掛かるという問題がある。
ヒートポンプが所望の給湯温度が取り出せるようになるためには、常温の吸収溶液を冷媒が再生する温度まで加熱・昇温させなければならず、この加熱・昇温に時間が掛かるからである。すなわち、吸収ヒートポンプでは、吸収溶液を加熱している間は給湯することが出来ず、上水を直接加熱して給湯する給湯機に比較すると、吸収溶液を加熱する時間だけ給湯可能な状態になるまでの時間が掛かってしまうのである。
【０００７】
ここで、吸収ヒートポンプを停止した場合には、加熱された吸収溶液（１００℃〜２２０℃）は、時間を掛けて常温（大気温度）まで冷やされる。換言すれば、吸収溶液を加熱するのに用いられた熱が、吸収ヒートポンプの停止後に時間を掛けて廃棄される。そのため、加熱した吸収溶液の熱量が無駄になる。
そして、加熱された状態の吸収溶液（運転時の吸収溶液）が保有する熱量はかなり大きく、それを廃棄する事による損失はかなり大きい。
【０００８】
係る損失（加熱された吸収溶液の熱量を吸収ヒートポンプの停止後に廃棄することによる損失）を減少させる試みは従来から種々為されているが、有効な解決策は未だに提案されていない。
【０００９】
その他の従来技術としては、例えば、大気温度が低く大気熱交換用循環水が十分に加熱されない場合に凝縮熱により大気熱交換用循環水を加熱し、大気温度が高く大気熱交換用循環水が十分に冷却されない場合に気化熱により大気熱交換用循環水を冷却する吸収ヒートポンプシステムが提案されている（特許文献１）。
しかし、係る従来技術は気温が低い場合にも確実に暖房運転を実行し、気温が高くても確実に冷房運転を実行することを目的としており、上述した様に、加熱された吸収溶液の熱量を吸収ヒートポンプの停止後に廃棄することによる損失、という上述した問題を解消するものではない。
【特許文献１】特開２００５−７７０３７号公報
【発明の開示】
【発明が解決しようとする課題】
【００１０】
本発明は上述した従来技術の問題点に鑑みて提案されたものであり、上述した様な損失（加熱された吸収溶液の熱量を吸収ヒートポンプの停止後に廃棄することによる損失）を填補することが出来る吸収ヒートポンプ及びその制御方法の提供を目的としている。
【課題を解決するための手段】
【００１１】
本発明の吸収ヒートポンプは、吸収溶液を加熱して冷媒蒸気を再生せしめる再生器（１）と、系外から熱エネルギー（例えば、空気熱ＱＬ）を取り入れて冷媒を蒸発する蒸発器（２）と、吸収剤が冷媒を吸収する吸収器（３）と、冷媒蒸気が凝縮する凝縮器（４）と、吸収器（３）及び凝縮器（４）を冷却する冷却水ライン（Ｌｗ）と、熱媒体が循環する循環系（Ｌｃ）を介して再生器（１）と熱的に接続されている貯湯タンク（１２）と、制御装置（コントロールユニット２０）とを備え、該制御装置（２０）は、吸収ヒートポンプの運転停止後に前記循環系（Ｌｃ）内で熱媒体を循環させ、該熱媒体を介して再生器（１）で加熱された吸収溶液が保有する熱量を貯湯タンク（１２）に投入する制御を行う様に構成されている（請求項１）。
【００１２】
前記循環系（Ｌｃ）内を循環する熱媒体の温度を計測する温度計測装置（温度センサ１４）を有し、前記制御装置（２０）は、吸収ヒートポンプの運転が停止したならば前記循環系（Ｌｃ）内で熱媒体を循環させ、前記温度計測装置（温度センサ１４）で計測された前記熱媒体の温度が貯湯タンク（１２）から再生器（１）側へ熱が逆流する可能性がある温度（所定温度）となった場合に前記循環系（Ｌｃ）における熱媒体の循環を停止する制御を行う様に構成されているのが好ましい（請求項２）。
ここで、上述した「貯湯タンク（１２）から再生器（１）側へ熱が逆流する可能性がある温度（所定温度）」については、吸収ヒートポンプの仕様、使用条件、その他により、ケース・バイ・ケースで定まるものである。
【００１３】
そして、係る吸収ヒートポンプ（請求項２の吸収ヒートポンプ）を制御する本発明の制御方法においては、吸収ヒートポンプの運転が停止したならば前記循環系（Ｌｃ）内で熱媒体を循環させる工程（Ｓ２）と、温度計測装置（温度センサ１４）により前記循環系（Ｌｃ）内を循環する熱媒体の温度を計測する工程（Ｓ３）と、前記温度計測装置（温度センサ１４）で計測された前記熱媒体の温度が貯湯タンク（１２）から再生器（１）側へ熱が逆流する可能性がある温度（所定温度）以下となった場合に前記循環系（Ｌｃ）における熱媒体の循環を停止する工程（Ｓ５）、とを有していることを特徴としている（請求項４）。
【００１４】
或いは、前記制御装置（２０）は、吸収ヒートポンプの運転が停止してからの経過時間を計測する計時装置（タイマー、クロック等）を備えており、吸収ヒートポンプの運転が停止したならば前記循環系（Ｌｃ）内で熱媒体を循環させ、吸収ヒートポンプ停止後、貯湯タンク（１２）から再生器（１）側へ熱が逆流することなく再生器（１）内の吸収溶液が保有する熱量を効率良く回収出来る時間（所定時間）が経過した時に前記循環系（Ｌｃ）における熱媒体の循環を停止する制御を行う様に構成されているのが好ましい（請求項３）。
ここで、「吸収ヒートポンプ停止後、貯湯タンク（１２）から再生器（１）側へ熱が逆流することなく再生器（１）内の吸収溶液が保有する熱量を効率良く回収出来る時間（所定時間）」については、吸収ヒートポンプの仕様、使用条件、その他により、ケース・バイ・ケースで定まるものである。
【００１５】
そして、係る吸収ヒートポンプ（請求項３の吸収ヒートポンプ）を制御する本発明の制御方法においては、吸収ヒートポンプの運転が停止したならば前記循環系（Ｌｃ）内で熱媒体を循環させる工程（Ｓ１２）と、計時装置（タイマー、クロック等）により吸収ヒートポンプの運転が停止してからの経過時間を計測する工程（Ｓ１３）と、吸収ヒートポンプ停止後、貯湯タンク（１２）から再生器（１）側へ熱が逆流することなく再生器（１）内の吸収溶液が保有する熱量を効率良く回収出来る時間（所定時間）が経過した時に前記循環系（Ｌｃ）における熱媒体の循環を停止する工程（Ｓ１５）と、を有することを特徴としている（請求項５）。
【００１６】
本発明においては、吸収剤として水を用い、冷媒としてアンモニアを用いても良いし、吸収剤を臭化リチウムとして冷媒を水にしても良いし、或いは、有機冷媒を用いる場合も包含される。
【発明の効果】
【００１７】
上述する構成を具備する本発明によれば、吸収ヒートポンプが停止した際に、（例えば熱媒体循環用ポンプ１３を作動させて）熱媒体を循環系（Ｌｃ）内に循環させ、以って、再生器（１）で加熱された吸収溶液の熱量を貯湯タンク（１２）で回収する。すなわち、再生器（１）で加熱された吸収溶液（１００℃〜２２０℃）が保有する熱量は、循環系（Ｌｃ）内を循環する熱媒体へ投入され、貯湯タンク（１２）内の温水へ投入される。
その結果、加熱された吸収溶液が保有している熱量は貯湯タンク（１２）により貯えられるので、上述した損失（加熱された吸収溶液の熱量を吸収ヒートポンプの停止後に廃棄することによる損失）が無くなる。
【００１８】
そして、熱媒体の温度が貯湯タンク（１２）から再生器（１）側へ熱が逆流する可能性がある温度（所定温度）となった場合や（請求項２、４）、或いは、吸収ヒートポンプ停止後、貯湯タンク（１２）から再生器（１）側へ熱が逆流することなく再生器（１）内の吸収溶液が保有する熱量を効率良く回収出来る時間（所定時間）が経過したならば（請求項３、５）、循環系（Ｌｃ）内における熱媒体の循環を停止するので、貯湯タンク（１２）に投入した熱量が、再生器（１）側に逆流してしまうことか防止される。
貯湯タンク（１２）内の温度が再生器（１）内の吸収溶液温度よりも高くなってしまった場合には、上述したのとは逆に、貯湯タンク（１２）内の熱量が循環系（Ｌｃ）内における熱媒体に流れてしまい、循環系（Ｌｃ）内における熱媒体から再生器（１）内の吸収溶液に投入されてしまう（熱の逆流）が生じてしまうが、上述の様に構成された本発明（請求項２〜５）では、熱の逆流が生じる以前の段階で循環系（Ｌｃ）内における熱媒体の循環を停止するので、熱の逆流は生じ得ないのである。
【発明を実施するための最良の形態】
【００１９】
以下、添付図面を参照して、本発明の実施形態について説明する。
先ず、図１のブロック図に基づいて第１実施形態を説明する。
システム全体を符号１０１で示す吸収ヒートポンプは、例えば、燃料ガス供給ラインＬｆによって都市ガスが燃料として投入される再生器１と、系外から例えば空気熱ＱＬを取り入れて液相冷媒（例えば液相のアンモニア）を蒸発する蒸発器２と、吸収剤（図示の例では水）が冷媒蒸気を吸収する吸収器３と、冷媒蒸気（例えばアンモニア蒸気）が凝縮する凝縮器４とを備えている。
尚、図示の例では、蒸発器２内の液相冷媒は、大気からの熱エネルギー（空気熱）ＱＬによって、気化（蒸発）するが、大気からの熱エネルギーのみならず、河川、下水などの未利用エネルギーを汲み上げて用いることも可能なように構成することも出来る。
【００２０】
吸収器３と再生器１は、循環ポンプ５が介装された吸収溶液ラインＬ１、Ｌ２によって吸収溶液が循環する様に接続され、そのラインＬ１、ラインＬ２には溶液熱交換器６が介装されている。
溶液熱交換器６は、ラインＬ２の吸収溶液の熱をラインＬ１の吸収溶液に投与する様に構成されている。
さらに、再生器１には精溜器１１が装備されており、再生器１で発生した冷媒蒸気（アンモニア蒸気）から吸収剤（水蒸気）を分離すると共に、精溜器１１内の熱を、ラインＬ１における溶液熱交換器６よりも吸収器３側の領域を流れる吸収溶液に投入して、吸収溶液を昇温させる（予熱する）様に構成されている。
【００２１】
冷却水ラインＬｗは、凝縮器４及び吸収器３を冷却する様に配置されている。すなわち、冷却水ラインＬｗは上水道に連通しており、冷却水ラインＬｗ内部には上水が流れ、冷却水ラインＬｗを流れる上水（冷却水）が凝縮器４、吸収器３の順に流過して、凝縮器４、吸収器３から熱を投与され、昇温される。そして、昇温された冷却水（温水）が給湯に供される。
【００２２】
再生器３で再生されて精溜器１１で気相の吸収剤（水蒸気）から分離された冷媒蒸気（アンモニア蒸気）は、ラインＬ３を経由して凝縮器４に流入し、凝縮器４内で凝縮して液相のアンモニアになり、この液相のアンモニアはラインＬ４を経由して蒸発器２に流入する。
蒸発器２内の液相のアンモニアは、蒸発器２で空気熱ＱＬが与えられて気化して冷媒蒸気（アンモニア蒸気）となり、冷媒蒸気はラインＬ５を経由して吸収器３に流入する。吸収器３内に流入した冷媒蒸気は、再生器１から戻った吸収剤（水）の含有率の高い吸収溶液（アンモニア水溶液）に吸収される。当該吸収溶液は吸収剤（水）の含有率が低下した状態で、循環ポンプ５により再生器１に送られる。
【００２３】
上述したように、蒸発器２では、大気からの熱エネルギー（空気熱）ＱＬ、或いは、河川、下水などの未利用エネルギー（図示せず）を汲み上げる。
ここで、再生器１において、都市ガス等、強制的に付加した熱量をＱＨとすれば、給湯で得られる熱量ＱＭは、ＱＭ＝ＱＨ＋ＱＬ  で表される。
この様な構成にすれば、冷却水においては、蒸発器２及び吸収器３の両方から熱が供給されるので、効率μが１を越える。
ここで、効率μは、下式で与えられる。
μ＝（給湯の熱量）／（都市ガス等の強制的に付加した熱量）
即ち、  μ＝（ＱＨ＋ＱＬ）／ＱＨ  ＝１＋ＱＬ／ＱＨ    となるので、効率は必ず１を超えるのである。
【００２４】
図１の第１実施形態の吸収ヒートポンプ１０１においては、貯湯タンク１２が設けられており、再生器１で加熱された吸収溶液の熱量を貯湯タンク１２で回収出来るように構成されている。
【００２５】
再生器１で加熱された吸収溶液の熱量を貯湯タンク１２で回収する具体的な態様としては、再生器１と貯等タンク１２の双方へ連通している熱媒体循環系（以下、「循環系」と略記する）Ｌｃを設ける。
この循環系Ｌｃには、その内部を循環する熱媒体（例えば水）を、図示の例では反時計回りに循環させるための熱媒体循環用ポンプ（以降、熱媒体循環用ポンプを熱回収ポンプと言う）１３が介装されている。ここで、熱媒体の循環方向については、図示の例ではポンプ１３に表示されている。
さらに循環系Ｌｃには、再生器１内の吸収溶液と熱交換を行う第１の熱交換器Ｅｘ１と、貯湯タンク１２内に蓄えられた温水と熱交換を行う第２の熱交換器Ｅｘ２とが設けられている。
なお、図１において、符号１４で示すのは、循環系Ｌｃを流れる熱媒体の温度を計測する温度センサである。
【００２６】
吸収ヒートポンプ１０１は、制御信号ラインＬｏを介して、制御手段であるコントロールユニット２０と接続されている。そのコントロールユニット２０は前記温度センサ１４と入力信号ラインＬｉで接続されている。
【００２７】
コントロールユニット２０は、図示しない信号伝達ラインを介して伝達される情報に基いて吸収ヒートポンプ１０１が停止した旨を検知した際には、再生器１で加熱された吸収溶液の熱量を貯湯タンク１２で回収する必要が生じたことを判断し、熱回収ポンプ１３を作動させて、熱媒体を循環系Ｌｃ内に循環させる様に構成されている。
熱回収ポンプ１３が作動して、熱媒体が循環系Ｌｃ内を循環すると、再生器１で加熱された吸収溶液が保有する熱量は、第１の熱交換器Ｅｘ１を介して熱媒体へ投入される。そして、熱媒体へ投入された熱量は、第２の熱交換器Ｅｘ２を介して貯湯タンク１２内の温水へ投入される。
その結果、加熱された吸収溶液が保有している熱量は貯湯タンク１２に貯えられるので、上述した従来技術における損失（加熱された吸収溶液の熱量を吸収ヒートポンプの停止後に廃棄することによる損失）が無くなる。
【００２８】
第１実施形態の吸収ヒートポンプ１０１は、図示しない給湯ラインから、直接貯湯タンク１２内に給湯することが可能である。そして、図示はされていないが、吸収ヒートポンプ１０１で加熱される以前の上水を、直接、貯湯タンク１２へ供給することも出来る。
【００２９】
ここで、再生器１で加熱された吸収溶液の熱量は、常時、貯湯タンク１２内の温水へ投入される訳ではない。
再生器１で加熱された吸収溶液の熱量が利用されることなく廃棄されてしまうのは、吸収ヒートポンプ１０１を停止した直後であるので、図示の実施形態においても、吸収ヒートポンプを停止した直後に、再生器１で加熱された吸収溶液の熱量をタンク１２内の温水へ投入している。
換言すれば、循環系Ｌｃ内で熱媒体を常時循環した場合には、貯湯タンク１２内の温度が再生器１内の吸収溶液温度よりも高くなり、貯湯タンク１２内の熱量が循環系Ｌｃ内を流れる熱媒体を介して再生器１内の吸収溶液に投入されてしまう、いわゆる「熱の逆流」が生じてしまうのである。
【００３０】
以下、図２のフローチャートをも参照して、図１の実施形態において、再生器１で加熱された吸収溶液が保有する熱量を、循環系Ｌｃを介して貯湯タンク１２内の温水へ供給する制御について説明する。
【００３１】
図２において、先ず、ステップＳ１では、例えば、吸収ヒートポンプ１０１の図示しない制御盤から停止信号が発信されたことを検知する。
そしてステップＳ２で、熱回収ポンプ１３を駆動することにより、循環系Ｌｃ内の熱媒体を循環させて、再生器１内の吸収溶液の熱量を貯湯タンク１２内の温水へ投入させる。
【００３２】
次のステップＳ３では、循環系Ｌｃに介装された温度センサ１４により、熱媒体の温度を計測する。
吸収ヒートポンプ停止から長時間が経過すると、貯湯タンク１２内の温水温度の方が、再生器１内の吸収溶液温度よりも高温になる。その様な状態では、貯湯タンク１２内の温水から、循環系Ｌｃを流れる熱媒体を介して、再生器１内の吸収溶液に熱が投入されてしまう（熱の逆流）。その様な「熱の逆流」が生じるのを防ぐため、ステップＳ４以下の工程が行われる。
【００３３】
ステップＳ４では、コントロールユニット２０は、熱媒体の温度が熱の逆流が生じる温度（所定温度：吸収ヒートポンプ１０１毎にケース・バイ・ケースで決定される）よりも低くなるか否かを監視しており、所定温度以下になったならば（ステップＳ４がＹＥＳ）、ステップＳ５に進む。一方、熱媒体の温度が所定温度よりも高温であれば（ステップＳ４がＮＯ）、ステップＳ４のループを繰り返す。
ここで、所定温度は、貯湯タンク１２から再生器１側へ熱が逆流しない温度であり、吸収ヒートポンプの使用、運転条件、設置箇所の気候その他により、ケース・バイ・ケースで定まる。
【００３４】
ステップＳ５では、コントロールユニット２０は熱回収ポンプ１３を停止させた後、制御を終了する。
熱回収ポンプ１３を停止させれば、循環系Ｌｃ内を熱媒体が流れることは無くなり、貯湯タンク１２側から再生器１側に熱が逆流することが防止される。
すなわち、第１実施形態では、循環系Ｌｃに介装された温度センサ１４が熱媒体の温度を監視しており、熱媒体の温度が所定値以下になったことを検知し、熱回収ポンプ１３を停止させることにより、貯湯タンク１２側からの熱の逆流を防止することが出来る。
【００３５】
次に、図３を参照して、第１実施形態の変形例を説明する。図３の第１実施形態の変形例は、構成は図１と同様であるが、制御が異なっている。
【００３６】
図２で示す制御では、循環系Ｌｃを流れる熱媒体の温度を温度センサ１４で計測して、貯湯タンク１２から再生器１側へ熱が逆流する恐れがある温度（所定温度）になると、循環系Ｌｃにおける熱媒体の循環を停止させる。
ここで、貯湯タンク１２から再生器１側へ熱が逆流することなく、再生器１内の加熱された吸収溶液から熱が効率良く回収出来る時間は、経験則で求めることが出来る。従って、吸収ヒートポンプ１０１の停止後、当該時間（再生器１内の加熱された吸収溶液から熱が効率良く回収出来る時間）が経過するまで、循環系Ｌｃ内で熱媒体を循環させれば、貯湯タンク１２から再生器１側へ熱が逆流することなく、再生器１で加熱された吸収溶液が保有する熱量が貯湯タンク１２内の温水へ効率的に供給される。
図３で示す変形例では、その様な見地から、循環系Ｌｃ内で熱媒体を循環させるか否かを、吸収ヒートポンプの停止してからの経過時間により判断している。
【００３７】
以下、図３を参照して説明する。
先ず、ステップＳ１１では、例えば、吸収ヒートポンプの図示しない制御盤から停止信号が発信されたことを検知する。
そして、熱回収ポンプ１３を駆動することにより、循環系Ｌｃ内の熱媒体を循環させて、再生器１内の吸収溶液の熱量を貯湯タンク１２内の温水へ投入させる（ステップＳ１２）。
【００３８】
次に、熱回収ポンプ１３を駆動し、循環系Ｌｃ内の熱媒体を循環させた状態で、コントロールユニット２０に内蔵した図示しないタイマーによって、吸収ヒートポンプ１０１を停止した時点からの計時を行う（ステップＳ１３）。
次のステップＳ１４で、コントロールユニット２０は、計時開始後、所定時間が経過したかを判断する。即ち、吸収ヒートポンプ１０１の停止後、所定時間が経過したか否かを判断する。ここで所定時間とは、貯湯タンク１２から再生器１側へ熱が逆流することなく、熱が効率良く回収出来る時間であり、吸収ヒートポンプの使用、運転条件、設置箇所の気候その他により、ケース・バイ・ケースで定まる。
所定時間が経過していれば（ステップＳ１４のＹＥＳ）、次のステップＳ１５に進む。一方、所定時間が経過していなければ（ステップＳ１３のＮＯ）、ステップＳ１４が「ＮＯ」のループを繰り返す。
ステップＳ１５では、熱回収ポンプ１３を停止させて、制御を終了する。
【００３９】
図３の制御を行う場合は、図１における温度センサ１４は不要となる。その代わり、図１で示すコントロールユニット２０において、図示しない計時手段（例えば、タイマー、クロック等）を設け、吸収ヒートポンプ１０１停止後の経過時間を計測する。
【００４０】
次に、図４を参照して、第２実施形態の吸収ヒートポンプ１０２を説明する。
図４の第２実施形態の吸収ヒートポンプ１０２は、再生器を高温再生器１Ｈと低温再生器１Ｌに分けて構成した実施形態である。
すなわち、高温再生器１Ｈで発生した冷媒蒸気が保有する熱量により、低温再生器１Ｌにおいて冷媒蒸気を発生させる二重効用タイプとなっている。
ここで、高温再生器１Ｈには、図１の再生器１に装備された精溜器１１は装備されていない。例えば、冷媒がアンモニアで吸収剤が水の場合には、精溜器１１が必要である。そして、図１の第１実施形態において、例えば冷媒が水で吸収剤が臭化リチウムである場合には、精溜器１１は不要である。
【００４１】
図４において、吸収溶液循環ラインＬ１、Ｌ２１、Ｌ２２には、第１の溶液熱交換器６１と第２の溶液熱交換器６２とが介装されている。第１の熱交換器６１では、ラインＬ２１の吸収溶液の熱がラインＬ１の吸収溶液に投与される。第２の熱交換器６２では、ラインＬ２２の吸収溶液の熱がラインＬ１の吸収溶液に投与される。
【００４２】
その他の構成及び作用効果については、第１実施形態と同様であり、制御についても、図２、図３で説明した何れの制御をも実行可能である。
なお、図４では図示されていないが、例えば冷媒がアンモニアで吸収剤が水の場合には、高温再生器１Ｈに精溜器（図１の符号１１）を設け、冷媒蒸気から吸収剤を分離するように構成する。
【００４３】
図示の実施形態はあくまでも例示であり、本発明の技術的範囲を限定する趣旨の記述ではない旨を付記する。
【図面の簡単な説明】
【００４４】
【図１】本発明の第１実施形態の全体構成を示したブロック図。
【図２】第１実施形態に係る一制御方法を説明する制御フローチャート。
【図３】第１実施形態に係る他の制御方法を説明する制御フローチャート。
【図４】本発明の第２実施形態の全体構成を示したブロック図。
【図５】従来技術の吸収ヒートポンプの全体構成を示したブロック図。
【符号の説明】
【００４５】
１・・・再生器
１Ｈ・・・高温再生器
１Ｌ・・・低温再生器
２・・・蒸発器
３・・・吸収器
４・・・凝縮機
５・・・循環ポンプ
６・・・溶液熱交換器
１１・・・精溜器
１２・・・貯湯タンク
１３・・・熱媒体循環用ポンプ／熱回収ポンプ
１４・・・温度センサ
Ｌ１、Ｌ２・・・吸収溶液ライン
Ｌｆ・・・燃料ガス供給ライン
Ｌｃ・・・熱媒体循環系／循環系
【図１】
2007120840.tif 000003
【図２】
2007120840.tif 000004
【図３】
2007120840.tif 000005
【図４】
2007120840.tif 000006
【図５】
2007120840.tif 000007